(57)【要約】  【課題】簡単な構成により種々の大きさの表紙その他の板状の対象物に保持させることができる小物類収納具を提供する。  【解決手段】小物類収納具を、略直交する二つの端部を有した小物類保持用の基本壁と、この基本壁の外面に添接され一端が前記端部の一方に止着されるとともに他端が前記端部の他方に止着された斜めバンドとを具備してなるものとした。このようなものであれば、簡単な構成により種々の大きさの表紙その他の板状の対象物に保持させることができる小物類収納具を提供することができるものとなる。【選択図】図１３
2017189274.tif 000002
【特許請求の範囲】
【請求項１】
略直交する二つの端部を有した小物類保持用の基本壁と、この基本壁の外面に添接され一端が前記端部の一方に止着されるとともに他端が前記端部の他方に止着された斜めバンドとを具備してなる小物類収納具。
【請求項２】
前記基本壁が、前記外面を形成する外装材と、この外装材の内面側に配された硬質芯材とを備えたものである請求項１記載の小物類収納具。
【請求項３】
前記基本壁が、長方形状をなすものである請求項１又は２記載の小物類収納具。
【請求項４】
前記斜めバンドが、一側縁を前記基本壁の対角線に略合致させて配された一定幅を有する帯状のものである請求項３記載の小物類収納具。
【請求項５】
前記斜めバンドが、前記基本壁の外面に接する裏面側に滑り止め部を備えたものである請求項１、２、３又は４記載の小物類収納具。
【請求項６】
前記基本壁と、この基本壁の横幅方向の両端部に連設され前記基本壁の内面に収納空間を介して対面する閉じ姿勢及び前記底壁の内面を開放する開き姿勢を選択的にとり得る対をなす開閉壁と、前記基本壁の縦方向両端部付近に位置させて前記両開閉壁間に設けられたマチとを具備してなる請求項３又は４記載の小物類収納具。
【発明の詳細な説明】
【技術分野】
【０００１】
本発明は、筆記具やコイン等を収納するための小物類収納具に関する。
【背景技術】
【０００２】
従来、筆記具を収納するための収納具として、背面に設けたバンドを用いて書籍やノートの表紙等に保持させておくことができるようにしたものが知られている（例えば、特許文献１参照）。すなわち、かかる収納具は、収納すべき筆記具に対応した縦方向寸法を有する基本壁を有し、この基本壁の前面側に筆記具を収納するためのポケットを設けている。そして、前記基本壁の背面にバンドの中央部を、該基本壁の長手方向に沿って設けたものであり、このバンドの両端部を前記書籍やノートの表紙等に巻き付けて相互に止着することができるようになっている。
【０００３】
ところが、このような構成のものでは、前記表紙の寸法に応じて前記バンドの両端部の止着位置を変えなければならず、しかも、比較的大きな表紙等に装着できるようにするには、長尺なバンドを設けておかなければならない。そのため、不使用時のバンドの取り扱いが煩わしいだけでなく、止着位置を変更可能な接続具をバンドに設けておくことが必須となる。
【０００４】
以上のような事情は、筆記具等の文房具を収納するための収納具に限らず、コインその他を収納するための収納具にとっても同様である。
【先行技術文献】
【特許文献】
【０００５】
【特許文献１】実用新案登録第３１６７１４６号公報
【発明の概要】
【発明が解決しようとする課題】
【０００６】
本発明は、以上のような事情に着目してなされたもので、簡単な構成により種々の大きさの表紙その他の板状の対象物に保持させることができる小物類収納具を提供することにある。
【課題を解決するための手段】
【０００７】
すなわち、本発明は次の構成をなしている。
【０００８】
請求項１に係る発明は、略直交する二つの端部を有した小物類保持用の基本壁と、この基本壁の外面に添接され一端が前記端部の一方に止着されるとともに他端が前記端部の他方に止着された斜めバンドとを具備してなる小物類収納具である。
【０００９】
請求項２に係る発明は、前記基本壁が、前記外面を形成する外装材と、この外装材の内面側に配された硬質芯材とを備えたものである請求項１記載の小物類収納具である。
【００１０】
請求項３に係る発明は、前記基本壁が、長方形状をなすものである請求項１又は２記載の小物類収納具である。
【００１１】
請求項４に係る発明は、前記斜めバンドが、一側縁を前記基本壁の対角線に略合致させて配された一定幅を有する帯状のものである請求項３記載の小物類収納具である。
【００１２】
請求項５に係る発明は、前記斜めバンドが、前記基本壁の外面に接する裏面側に滑り止め部を備えたものである請求項１、２、３又は４記載の小物類収納具である。
【００１３】
請求項６に係る発明は、前記基本壁と、この基本壁の横幅方向の両端部に連設され前記基本壁の内面に収納空間を介して対面する閉じ姿勢及び前記底壁の内面を開放する開き姿勢を選択的にとり得る対をなす開閉壁と、前記基本壁の縦方向両端部付近に位置させて前記両開閉壁間に設けられたマチとを具備してなる請求項３又は４記載の小物類収納具である。
【発明の効果】
【００１４】
以上説明したように本発明によれば、簡単な構成により種々の大きさの表紙その他の板状の対象物に保持させることができる小物類収納具を提供することができるものとなる。
【図面の簡単な説明】
【００１５】
【図１】本発明の一実施形態を示す斜視図。
【図２】同実施形態における斜視図。
【図３】同実施形態における斜視図。
【図４】同実施形態における正面図。
【図５】同実施形態における平面図。
【図６】同実施形態における背面図。
【図７】同実施形態における底面図。
【図８】同実施形態における概略的な展開図。
【図９】同実施形態における模式図。
【図１０】同実施形態における模式図。
【図１１】同実施形態における内部構造を説明するための説明図
【図１２】図７におけるＸ−Ｘ線部分断面図。
【図１３】同実施形態における使用態様の一例を説明するための説明図。
【発明を実施するための形態】
【００１６】
以下、本発明の一実施形態を、図１〜１３を参照して説明する。
【００１７】
この実施形態は、本発明を、筆記具等の棒状小物類Ｅを収納するための小物類収納具たる筆記具収納ケースＡ（以下、単に「収納ケースＡ」という。）に適用したものである。
【００１８】
収納ケースＡは、縦方向の寸法が収納すべき棒状小物類Ｅの長さ寸法よりも大きく設定された基本壁たる底壁１と、この底壁１の横幅方向の両端部に連設され底壁１の内面に収納空間ｓｐを介して対面する閉じ姿勢（Ｔ）及び底壁１の内面を開放する開き姿勢（Ｈ）を選択的にとり得る対をなす開閉壁２、３と、底壁１の縦方向両端部付近に位置させて両開閉壁２、３間に設けられ閉じ姿勢（Ｔ）において収納空間ｓｐに収納された棒状小物類Ｅの端部を底壁１方向に押さえ得るように折り畳まれるマチＣとを具備してなり、マチＣが、両開閉壁２、３が開き姿勢（Ｈ）から閉じ姿勢（Ｔ）方向に自己復帰するのを抑止し得る程度の曲げこわさを備えたものである。
【００１９】
なお、図１は、両開閉壁２、３が開き姿勢（Ｈ）に近い状態の収納ケースＡの斜視図である。図２は、両開閉壁２、３が閉じ姿勢（Ｔ）にある状態の収納ケースＡの斜視図である。図３は、同閉じ姿勢（Ｔ）における収納ケースＡの裏面側の斜視図である。図４は、閉じ姿勢（Ｔ）の収納ケースＡを示す正面図であり、図５は同平面図、図６は同背面図、図７は同底面図であり、後述する斜めバンド４に薄墨パターンを施している。図８は、マチＣを無視した状態で両開閉壁２、３を１８０°開いた状態を概略的に示す展開図であり、後述する内ポケット２２部分に薄墨パターンを施している。図９は、開き姿勢（Ｈ）の収納ケースＡを側面から示す模式図である。図１０は、棒状小物類Ｅを収納した閉じ姿勢（Ｔ）を側面から示す模式図である。図１１は、底壁１、及び、両開閉壁２、３の内部構造を説明するための説明図であり、同図における（ａ）は、図８に相当する概略的な展開姿勢を示し、（ｂ）は、側断面を模式的に示している。図１１（ｂ）は、視認し易くするために各部材の厚みを強調して示しており、間隔も大きく強調して描いてある。図１２は、図７における斜めバンド４の概略的なＸ−Ｘ線断面図である。図１３は、底壁１と斜めバンド４との間に板状の対象物Ｆ（冊子の表紙）を挿入する態様を説明するための説明図である。
【００２０】
収納ケースＡは、平面視長方形状をなす底壁１と、この底壁１の横幅方向の両端部に連設され底壁１の内面に収納空間ｓｐを介して対面する閉じ姿勢（Ｔ）、及び、底壁１の内面を開放する開き姿勢（Ｈ）を選択的に採り得る対をなす開閉壁２、３と、底壁１の縦方向両端部付近に位置させて両開閉壁２、３間に設けられたマチＣとを具備してなり、開き姿勢（Ｈ）で一方の開閉壁２の高さ寸法が他方の開閉壁３の高さ寸法よりも大きくなるように設定してあるとともに、マチＣの上縁である上辺ｃ４を開閉壁２、３の高低に対応させて傾斜させてある。
【００２１】
詳述すれば、収納ケースＡは、底壁１と両開閉壁２、３とを一体的に備えた周壁構造体Ｂと、マチＣとを主体に構成されている。この周壁構造体Ｂは、図１１に示すように、外装材ｓ１と、内装材ｓ２との間に、底壁１用の硬質芯材ｋ１、底壁１用の軟質芯材ｎ１、一方の開閉壁２用の硬質芯材ｋ２、一方の開閉壁２用の軟質芯材ｎ２、他方の開閉壁３用の硬質芯材ｋ３、他方の開閉壁３用の軟質芯材ｎ３をそれぞれ介在させ、周縁部を糸により縫製したものである。
【００２２】
なお、外装材ｓ１及び内装材ｓ２は、例えば、ポリエステル製の生地により構成されたものである。硬質芯材ｋ１、ｋ２、ｋ３は、例えば、ポリプロピレン製のシートにより構成されたものである。軟質芯材ｎ１、ｎ２、ｎ３は、例えば、ポリエチレン製の発泡体により構成されたシート状のものである。
【００２３】
すなわち、底壁１は、平面視長方形状をなすもので、外装材ｓ１と内装材ｓ２との間に硬質芯材ｋ１、ｋ２、ｋ３と軟質芯材ｎ１、ｎ２、ｎ３とを介在させたものである。底壁１の横幅方向両側縁部には、硬質芯材ｋ１、ｋ２、ｋ３、及び、軟質芯材ｎ１、ｎ２、ｎ３が存在しない。そのため、底壁１と両開閉壁２、３とは、ヒンジ的に変形可能な外装材ｓ１、及び、内装材ｓ２のみによって接続されている。底壁１の縦方向寸法は、収納すべき棒状小物類Ｅの長手方向寸法よりも大きく設定されており、この底壁１の内面と両開閉壁２、３の内面との間に、棒状小物類Ｅを収納するための収納空間ｓｐが形成されている。
【００２４】
一方の開閉壁２は、硬質領域である先端側領域２ａと軟質領域である基端側領域２ｂとに区成された長方形状のもので、先端側領域２ａが基端側領域２ｂに比較して高い剛性を備えている。すなわち、一方の開閉壁２の先端側領域２ａは、外装材ｓ１と内装材ｓ２との間に硬質芯材ｋ２と軟質芯材ｎ２とを介在させたものであり、基端側領域２ｂは、外装材ｓ１と内装材ｓ２との間に軟質芯材ｎ２のみを介在させたものである。この一方の開閉壁２の外側には、外ポケット２１が設けられているとともに、内側における軟質領域である基端側領域２ｂには、内ポケット２２が設けられている。この内ポケット２２は、一方の開閉壁２の内面に網状シートを添設してなるものでその開口部２２ａには、収容したものが落下することを防止するための面ファスナ２２ｂが設けられている。
【００２５】
他方の開閉壁３は、長方形状のもので、外装材ｓ１と内装材ｓ２との間に硬質芯材ｋ３と軟質芯材ｎ３とを介在させている。
【００２６】
この収納ケースＡは、開き姿勢（Ｈ）において、図１、及び、図９に示すように、一方の開閉壁２の高さ寸法が、他方の開閉壁３の高さ寸法よりも大きくなるように設定してある。両開閉壁２、３は、９０°を上回る角度だけ回動して閉じ姿勢（Ｔ）から開き姿勢（Ｈ）に至るように構成されたものである。この実施形態においては、両開閉壁２、３を１２０°回転させることにより、開き姿勢（Ｈ）を採り得るようになっている。図１は、閉じ姿勢（Ｔ）に自己復帰するのをマチＣにより阻止している状態を示すものであり、完全な開き姿勢（Ｈ）から若干閉じ姿勢（Ｔ）方向に遷移して両開閉壁２、３が静止している状態を示している。
【００２７】
マチＣは、底壁１の縦方向両端部付近に位置させて両開閉壁２、３間に設けられたもので、ポリエステル製の厚手の生地により作られている。このマチＣの上縁は、開閉壁２、３の高低に対応させて傾斜させてある。すなわち、このマチＣは、図９に示すように、底壁１に止着された底辺ｃ１と、一方の開閉壁２に止着された第一の側辺ｃ２と、他方の開閉壁３に止着された第二の側辺ｃ３と、これら第一、第二の側辺ｃ２、ｃ３の上端同士を結ぶ上辺ｃ４とを備えたものであり、上辺ｃ４を底辺ｃ１に対して傾斜させてある。そして、マチＣは、上辺ｃ４に相互に離間した二つの中間屈曲箇所ｃ４１、ｃ４２を有し、一方の中間屈曲箇所ｃ４１から底辺ｃ１の一端に至る第一の仮想谷折り線ｙ１と、他方の中間屈曲箇所ｃ４２から底辺ｃ１の他端に至る第二の仮想谷折り線ｙ２とを介して収納空間ｓｐ側に折り畳まれるものである。
【００２８】
具体的には、このマチＣは、第一、第二の仮想谷折り線ｙ１、ｙ２と第一、第二の側辺ｃ２、ｃ３との間にそれぞれ形成された第一、第二の端部領域ｒ１、ｒ２、及び、第一、第二の仮想谷折り線ｙ１、ｙ２間に形成された中間領域ｒ３を備えたものであり、閉じ姿勢（Ｔ）において中間領域ｒ３が収納空間ｓｐに収納された棒状小物類Ｅの端部を押さえ得るようになっている。
【００２９】
マチＣにおける底辺ｃ１、第一の側辺ｃ２、及び、第二の側辺ｃ３は、外方に折り曲げた状態で、縁巻きテープｔとともに周壁構造体Ｂに縫着されている。そして、マチＣの一側辺である第一の側辺ｃ２は、軟質領域である基端側領域２ｂの縁に連接されている。
【００３０】
以上説明した収納ケースＡの底壁１には斜めバンド４が設けられているとともに両開閉壁２、３間には、閉じ姿勢（Ｔ）に保持するための対をなすスナップ式留め具ｄが設けられている。
【００３１】
斜めバンド４は、略直交する二つの端部１１、１２を有した底壁１の外面に設けられたもので、一端が底壁１の一方の端部すなわち縦方向一端部１１に止着されるとともに他端が底壁１の他方の端部すなわち横幅方向一端部１２に止着されている。この斜めバンド４は、底壁１の外面に接し得る裏面側に滑り止め部４１を備えているもので、この斜めバンド４と底壁１との間に挿入された板状の対象物Ｆ（例えば、書籍やノートの表紙等）が容易に外れないようになっている。
【００３２】
斜めバンド４は、一側縁４ａすなわち対象物Ｆを最初に受け入れる側の一側縁４ａを底壁１の対角線に略合致させて配された一定幅を有する帯状のものである。この斜めバンド４は、外装材ｓ３と内装材ｓ４との間に軟質芯材ｎ４を介在させてその両側縁部を糸により縫製したもので、内装材ｓ４に滑り止め部４１を形成するためのゴム製のシート材が添設されている。
【００３３】
スナップ式留め具ｄは、メス型要素ｄ１とオス型要素ｄ２とを着脱可能に係合させ得るようにした通常のもので、両開閉壁２、３の両端近傍部に二組設けられている。
【００３４】
以上説明したように、本実施形態に係る小物類収納具たる収納ケースＡは、略直交する二つの端部１１、１２を有した小物類保持用の基本壁たる底壁１と、この底壁１の外面に添接され一端が一方の端部１１に止着されるとともに他端が他方の端部１２に止着された斜めバンド４とを具備してなる。このため、斜めバンド４と底壁１との間に板状の対象物Ｆを挿入し、当該対象物Ｆを収納ケースＡに好適に保持させ得るものとなる。
【００３５】
例えば、図１３に示すように、板状の対象物Ｆをその角部Ｆ１から斜めバンド４と底壁１との間に挿入することにより、この収納ケースＡを対象物Ｆに保持させておくことができるものとなる。この場合、対象物Ｆが底壁１よりも大きな面積を有したものであっても、その対象物Ｆに角部Ｆ１が存在していれば、底壁１の一端部１１及び他端部１２の近傍に対象物Ｆの第一の辺Ｆ１１と第二の辺Ｆ１２とを位置させて斜めバンド４に効果的に係わり合わせることができる。ここで、角部Ｆ１は、連続する第一の辺Ｆ１１と第二の辺Ｆ１２とを有し、これらが略直交するように設けられているものが好ましい。
【００３６】
この実施形態のものでは、止着位置を変更可能な接続部材等を用いることなく種々の板状の対象物Ｆに装着することができる。つまり、この収納ケースＡは、一定寸法を有した斜めバンド４を備えているので、どのような大きさの対象物Ｆに対しても無理なく係わり合うことができ、しかも、不使用時に斜めバンド４が邪魔になるという不具合も生じにくいものとなっている。
【００３７】
基本壁である底壁１が、外面を形成する外装材ｓ１と、この外装材ｓ１の内面側に配された硬質芯材ｋ１とを備えている。このため、底壁１は平板状に近い状態に保持され得るものとなり、当該底壁１の外面に設けられた斜めバンド４に一定の張りが保持され得るものとなる。このように構成することによって、斜めバンド４と底壁１との間に対象物Ｆが好適に保持され得るものとなる。
【００３８】
基本壁である底壁１が、長方形状をなすものである。このため、斜めバンド４の長手寸法を長く設定しやすいものとなり、一般に広く普及している書籍、冊子、ファイル、ボード等の矩形状をなす板状の対象物Ｆを、底壁１と斜めバンド４との間に効率よく保持させ得るものとなる。
【００３９】
斜めバンド４が、一側縁４ａを底壁１の対角線に略合致させて配された一定幅を有する帯状のものである。このため、限られた面積の底壁１に対して、板状の対象物Ｆを受け入れやすく、且つ、効果的に保持し得る態様で、斜めバンド４が設けられたものとなっている。
【００４０】
斜めバンド４が、底壁１の外面に接する裏面側に滑り止め部４１を備えている。このため、斜めバンド４と底壁１との間に挿入された対象物Ｆが安定した保持状態に維持され得るものとなる。
【００４１】
底壁１と、この底壁１の横幅方向の両端部に連設され底壁１の内面に収納空間ｓｐを介して対面する閉じ姿勢（Ｔ）、及び、底壁１の内面を開放する開き姿勢（Ｈ）を選択的にとり得る対をなす開閉壁２、３と、底壁１の縦方向両端部付近に位置させて開閉壁２、３間に設けられたマチＣとを具備している。このため、斜めバンド４による所期の効果を発揮しつつ収納空間ｓｐに種々の小物類を収納し得る収納ケースＡが実現され得るものとなる。
【００４２】
なお、本発明は、以上に詳述した実施形態に限られるものではない。
【００４３】
斜めバンドは、上述した実施形態に示すように、それ自体が直線で構成されたものに限られるものではない。例えば、斜めバンドは、それ自体が湾曲形状をなした形状のものや、湾曲形状を一部に含む形状をなしたものであってもよい。或いは、斜めバンドは、それ自体が複数のＬ字状の部分を連続させたいわゆる階段形状をなした形状のものや、階段形状を一部に含む形状をなしたものであってもよい。
【００４４】
小物類収納具は、上述した実施形態に示すような主として筆記具等の文房具を収納するための収納具に限られない。すなわち、小物類収納具は、主として、コイン、冊子、化粧品、カトラリー、その他の小物類を収納するためのものであってもよい。
【００４５】
基本壁は、種々のものが考えられ、本実施形態に示すような底壁に限定されるものではない。例えば、開閉壁の外面を基本壁としてもよい。
【００４６】
斜めバンドの形状や材質等は、種々のものを適用することができるのはいうまでもない。
【００４７】
底壁と斜めバンドとの間に挟まれる対象物は、種々ものが考えられる。例えば、対象物は、全体として板状をなしているものでなくてもよく、全体が矩形状をなしているものでなくてもよい。なお、板状の対象物としては、例えば、書籍、冊子、ファイル、ボード、シート体等が挙げることができ、それらの全部又は一部（表紙など）であってもよい。
【００４８】
その他、各部の具体的構成についても上記実施形態に限られるものではなく、本発明の趣旨を逸脱しない範囲で種々変形が可能である。
【符号の説明】
【００４９】
１…底壁（基本壁）
４…斜めバンド
１１…一端部（端部）
１２…他端部（端部）
Ａ…収納ケース（小物類収納具）
ｓ１…外装材
ｋ１…硬質芯材
【図１】
2017189274.tif 000003
【図２】
2017189274.tif 000004
【図３】
2017189274.tif 000005
【図４】
2017189274.tif 000006
【図５】
2017189274.tif 000007
【図６】
2017189274.tif 000008
【図７】
2017189274.tif 000009
【図８】
2017189274.tif 000010
【図９】
2017189274.tif 000011
【図１０】
2017189274.tif 000012
【図１１】
2017189274.tif 000013
【図１２】
2017189274.tif 000014
【図１３】
2017189274.tif 000015